(57)【要約】    【課題】      最適なＭＣＳレベルを選択し、システムスループットの向上を図ること。    【解決手段】  端末ランク検出部１０８は、受信データに含まれる端末ランク情報を検出する。ＭＣＳテーブル選択部１０９は、通信端末装置のランクに基づいてスケジューリングに使用するＭＣＳテーブルを選択する。スケジューリング部１５１は、各ＭＣＳレベルが割り当てられるＳＩＮＲの範囲を示すＭＣＳテーブルを複数記憶し、ＭＣＳテーブル選択部１０９が選択したＭＣＳテーブルと回線品質情報に基づいてデータ送信先となる通信端末装置を割り当て、割り当てた通信端末装置に送信する送信データの変調方式及び符号化率を決定する。  【選択図】      図１
2006217173.tif 000002
【特許請求の範囲】
【請求項１】
通信端末装置のランクに基づいてスケジューリングに使用するＭＣＳテーブルを選択するＭＣＳテーブル選択手段と、
前記ＭＣＳテーブル選択手段が選択したＭＣＳテーブルと前記通信端末装置が測定した回線品質とに基づいてＭＣＳレベルを決定するスケジューリング手段と、を具備する基地局装置。
【請求項２】
所定計測区間における前記回線品質の分散を計算する分散測定手段を具備し、
前記ＭＣＳテーブル選択手段は、前記回線品質の分散に基づいてランクを更新し、ＭＣＳテーブルを再選択する請求項１に記載の基地局装置。
【請求項３】
前記通信端末装置において受信データ量が自局のターボ復号処理容量の所定の割合を上回ったことを示すアラーム情報を検出するアラーム情報検出手段を具備し、
前記ＭＣＳテーブル選択手段は、前記アラーム情報検出手段がアラーム情報を検出した場合、閾値が高いＭＣＳテーブルを再選択する請求項１又は請求項２に記載の基地局装置。
【請求項４】
前記通信端末装置における周波数安定度を示す周波数安定度情報を検出する周波数安定度情報検出手段を具備し、
前記ＭＣＳテーブル選択手段は、前記通信端末装置の周波数安定度に応じてＭＣＳテーブルを再選択する請求項１から請求項３のいずれかに記載の基地局装置。
【請求項５】
ランクはターボ符号の最大繰り返し回数であって、
ＭＣＳテーブル選択手段は、最大繰り返し回数が多い通信端末装置程、符号化率が低いＭＣＳテーブルを選択する請求項１から請求項４のいずれかに記載の基地局装置。
【請求項６】
通信端末装置のランクに基づいてスケジューリングに使用するＭＣＳテーブルを選択する工程と、
前記ランクを更新し、前記選択したＭＣＳテーブルを再選択する工程と、
前記選択したＭＣＳテーブルと前記通信端末装置が測定した回線品質とに基づいてＭＣＳレベルを決定する工程と、を具備するリソース割り当て方法。
【発明の詳細な説明】
【技術分野】
【０００１】
本発明は、無線通信システムに使用される基地局装置及びリソース割り当て方法に関する。
【背景技術】
【０００２】
３ＧＰＰにおいて標準化されたＨＳＤＰＡ（High Speed Downlink Packet Access）では、スケジューリング技術、適応変調技術を適用することにより高スループットを実現している。スケジューリング技術とは、基地局装置が、各通信端末装置が測定した回線品質（例えばＳＩＮＲ（希望波対干渉波比））等に基づいてユーザ回線を割り当てる技術であり、適応変調技術とは、基地局装置が、各通信端末装置が測定した受信品質等に基づいて通信端末装置毎に送信データの変調方式及び誤り訂正符号化率の組み合わせ（以下、「ＭＣＳレベル」という）を決定する技術である。
【０００３】
スケジューリングを実施する基地局装置は、各通信端末装置が測定した回線品質を比較し、例えば回線品質が最も高い通信端末装置にユーザ回線を割り当て、当該回線品質に対応するＭＣＳレベルで送信データを変調して送信する。
【非特許文献１】3GPP TR25.858 V5.0.0(2002-03)
【非特許文献２】3GPP TS25.214 V5.8.0(2004-03)
【発明の開示】
【発明が解決しようとする課題】
【０００４】
しかしながら、上記従来の方法では、ＳＩＮＲの測定精度等の仕様が通信端末装置毎に異なることを考慮していないので、通信端末装置において最適なＭＣＳレベルを選択することができない恐れがある。
【０００５】
例えば、図１３において、本来のＳＩＮＲ（回線品質の真値）がポイント１１であるにもかかわらず、ＳＩＮＲ測定誤差のためにＳＩＮＲ測定結果がポイント１２となってしまった場合、基地局装置は、従来の方法によると、ＭＣＳレベル２を選択すべきであるにもかかわらず、ＭＣＳレベル３を選択してしまうため、通信端末装置において受信信号を正しく復調できなくなってしまう。
【０００６】
一方、図１４において、本来のＳＩＮＲ（回線品質の真値）がポイント２１であるにもかかわらず、ＳＩＮＲ測定誤差のためにＳＩＮＲ測定結果がポイント２２となってしまった場合、基地局装置は、従来の方法によると、ＭＣＳレベル３を選択すべきであるにもかかわらず、ＭＣＳレベル２を選択してしまうため、通信端末装置に対して過剰な余裕を持ちつつ信号を送信してしまい、スループットが低下してしまう。
【０００７】
本発明はかかる点に鑑みてなされたものであり、最適なＭＣＳレベルを選択し、システムスループットの向上を図ることができる基地局装置及びリソース割り当て方法を提供することを目的とする。
【課題を解決するための手段】
【０００８】
かかる課題を解決するため、本発明の基地局装置は、通信端末装置のランクに基づいてスケジューリングに使用するＭＣＳテーブルを選択するＭＣＳテーブル選択手段と、前記ＭＣＳテーブル選択手段が選択したＭＣＳテーブルと前記通信端末装置が測定した回線品質とに基づいてＭＣＳレベルを決定するスケジューリング手段と、を具備する構成を採る。
【０００９】
また、本発明のリソース割り当て方法は、通信端末装置のランクに基づいてスケジューリングに使用するＭＣＳテーブルを選択する工程と、前記ランクを更新し、前記選択したＭＣＳテーブルを再選択する工程と、前記選択したＭＣＳテーブルと前記通信端末装置が測定した回線品質とに基づいてＭＣＳレベルを決定する工程と、を具備する方法を採る。
【発明の効果】
【００１０】
本発明によれば、通信端末装置のランク等を考慮してＭＣＳテーブルを選択し、選択したＭＣＳテーブルを使って回線品質に基づいてＭＣＳレベルを決定することにより、最適なＭＣＳレベルを決定することができ、システムスループットの向上を図ることができる。
【発明を実施するための最良の形態】
【００１１】
以下、本発明の実施の形態について図面を参照して詳細に説明する。
【００１２】
（実施の形態１）
まず、本発明の実施の形態１に係る基地局装置の構成について図１のブロック図を用いて説明する。図１の基地局装置１００は、複数の通信端末装置と同時に無線通信を行う。各通信端末装置から基地局装置１００に送信される信号には、測定した回線品質を示す回線品質情報、誤り検出処理結果を示すＡＣＫ／ＮＡＣＫ情報、及び、通信端末装置の仕様をランクによって示す端末ランク情報が含まれる。なお、ＡＣＫ情報は誤りが検出されなかったことを示す情報であり、ＮＡＣＫ情報は誤りが検出されたことを示す情報である。また、以下の説明では、通信端末装置の仕様を、良い順にＡ、Ｂ、Ｃの３つのランクで示す。通信端末装置の仕様として、回線品質の測定精度、繰り返し復号回数、周波数引き込み精度等が挙げられる。
【００１３】
共用器１０２は、アンテナ１０１に受信された信号を受信無線部１０３に出力する。また、共用器１０２は、送信無線部１５８から出力された信号をアンテナ１０１から無線送信する。
【００１４】
受信無線部１０３は、共用器１０２から出力された無線周波数の受信信号をベースバンド信号に変換して復調部１０４に出力する。復調部１０４は、無線通信を行う通信端末装置の数だけ用意され、受信ベースバンド信号に対して逆拡散、ＲＡＫＥ合成等の復調処理を行い、復調後の信号を誤り訂正復号部１０５に出力する。
【００１５】
誤り訂正復号部１０５は、無線通信を行う通信端末装置の数だけ用意され、復調後の信号に対して誤り訂正復号処理を行い、復号結果である受信データを得る。そして、誤り訂正復号部１０５は、ＡＣＫ／ＮＡＣＫ情報検出部１０６、回線品質情報検出部１０７、端末ランク検出部１０８及び図示しない後工程に受信データを出力する。
【００１６】
ＡＣＫ／ＮＡＣＫ情報検出部１０６は、受信データに含まれるＡＣＫ情報あるいはＮＡＣＫ情報を検出し、検出結果をデータ再送制御部１５２に出力する。回線品質情報検出部１０７は、受信データに含まれる回線品質情報を検出し、検出結果をスケジューリング部１５１に出力する。端末ランク検出部１０８は、受信データに含まれる端末ランク情報を検出し、検出結果をＭＣＳテーブル選択部１０９に出力する。
【００１７】
ＭＣＳテーブル選択部１０９は、通信端末装置のランクに基づいてスケジューリングに使用するＭＣＳテーブルを選択し、選択したＭＣＳテーブルの番号を示す情報をスケジューリング部１５１に出力する。
【００１８】
スケジューリング部１５１は、各ＭＣＳレベルが割り当てられるＳＩＮＲの範囲を示すＭＣＳテーブルを複数記憶し、ＭＣＳテーブル選択部１０９が選択したＭＣＳテーブルと回線品質情報に基づいて各通信端末装置のＭＣＳレベルを決定し、各通信端末装置のＭＣＳレベルを比較してデータ送信先となる通信端末装置を割り当て、割り当てた通信端末装置に送信する送信データの変調方式、符号化率及び使用する物理リソースを決定する（リソース割り当て）。なお、本実施の形態に係るＭＣＳテーブルの選択方法の詳細については後述する。
【００１９】
スケジューリング部１５１は、リソース割り当てを行った後、データ送信先として割り当てた通信端末装置を示す情報をデータ再送制御部１５２に出力し、リソース割り当て結果を示すリソース割り当て情報を誤り訂正符号化部１５６に出力する。また、スケジューリング部１５１は、誤り訂正符号化部１５４に対して符号化率を指示し、変調部１５５に対して変調方式を指示する。
【００２０】
データ再送制御部１５２は、ＡＣＫ／ＮＡＣＫ情報検出部１０６から出力されたＡＣＫ／ＮＡＣＫ情報の中から、データ送信先として割り当てられた通信端末装置から送信されたものを選択する。そして、データ再送制御部１５２は、選択した情報がＡＣＫ情報であれば送信データバッファ部１５３に対してデータ送信先として割り当てられた通信端末装置に新規データを送信することを指示する。一方、データ再送制御部１５２は、選択した情報がＮＡＣＫ情報であれば送信データバッファ部１５３に対してデータ送信先して割り当てられた通信端末装置に再送用データを送信することを指示する。
【００２１】
送信データバッファ部１５３は、各通信端末装置に送信する送信データを一時的に記憶し、データ再送制御部１５２から指示された送信データを誤り訂正符号化部１５４に出力する。
【００２２】
誤り訂正符号化部１５４は、送信データバッファ部１５３の出力データに対してスケジューリング部１５１から指示された符号化率の誤り訂正符号化を行い、誤り訂正符号化後のデータを変調部１５５に出力する。
【００２３】
変調部１５５は、誤り訂正符号化部１５４の出力データに対してスケジューリング部１５１から指示された変調方式により変調及び拡散を行い、変調後の信号を送信無線部１５８に出力する。
【００２４】
誤り訂正符号化部１５６は、リソース割り当て情報に対して誤り訂正符号化を行い、誤り訂正符号化後のデータを変調部１５７に出力する。変調部１５７は、誤り訂正符号化部１５６の出力データに対して変調及び拡散を行い、変調後の信号を送信無線部１５８に出力する。
【００２５】
送信無線部１５８は、変調部１５５の出力信号及び変調部１５７の出力信号を無線周波数の信号に変換して共用器１０２に出力する。
【００２６】
次に、本実施の形態に係る通信端末装置の構成について図２のブロック図を用いて説明する。図２の通信端末装置２００は、図１に示した基地局装置１００と無線通信を行う。
【００２７】
共用器２０２は、アンテナ２０１に受信された信号を受信無線部２０３に出力する。また、共用器２０２は、送信無線部２５３から出力された信号をアンテナ２０１から無線送信する。
【００２８】
受信無線部２０３は、共用器２０２から出力された無線周波数の受信信号をベースバンド信号に変換して復調部２０４に出力する。復調部２０４は、受信ベースバンド信号に対して逆拡散、ＲＡＫＥ合成等の復調処理を行い、復調後の信号を誤り訂正復号部２０５に出力する。また、復調部２０４は、復調処理の過程で得られる希望波電力、干渉波電力等の回線品質測定に必要な情報を回線品質測定部２０８に出力する。
【００２９】
誤り訂正復号部２０５は、復調後の信号に対して誤り訂正復号処理及び誤り検出処理を行い、誤りが検出されなかった場合には復号結果である受信データを図示しない後工程に出力する。また、誤り訂正復号部２０５は、誤り検出結果を示す情報をＡＣＫ／ＮＡＣＫ信号生成部２０６に出力する。
【００３０】
ＡＣＫ／ＮＡＣＫ信号生成部２０６は、復号後の信号に誤りが検出されなかった場合にはＡＣＫ情報を生成し、復号後の信号に誤りが残存する場合にはＮＡＣＫ情報を生成し、ＡＣＫ情報あるいはＮＡＣＫ情報を誤り訂正符号化部２５１に出力する。
【００３１】
回線品質測定部２０８は、復調部２０４から出力された情報に基づいてＳＩＮＲ（回線品質）を測定し、測定したＳＩＮＲを示す回線品質情報を誤り訂正符号化部２５１に出力する。
【００３２】
誤り訂正符号化部２５１は、送信データに、回線品質情報、ＡＣＫ／ＮＡＣＫ情報及び端末ランク情報を多重し、多重後の信号に対して誤り訂正符号化を行い、変調部２５２に出力する。なお、これらの情報には各々個別の誤り訂正符号化を行ってもよい。
【００３３】
変調部２５２は、誤り訂正符号化部２５１の出力信号に対して変調及び拡散を行い、送信無線部２５３に出力する。送信無線部２５３は、変調部２５２の出力信号を無線周波数の信号に変換して共用器２０２に出力する。
【００３４】
次に、本実施の形態に係る基地局装置と通信端末装置との間の通信順序について図３のシーケンス図を用いて説明する。
【００３５】
まず、通信端末装置は、基地局装置に対して通信開始要求を行うとともに（Ｓ３０１）、端末ランク情報を送信する（Ｓ３０２、Ｓ３０３）。次に、基地局装置は、通信開始要求があった通信端末装置に対して下りデータを送信する（Ｓ３０４、Ｓ３０５）。
【００３６】
通信端末装置は、回線品質を測定し（Ｓ３０６）、回線品質情報を含む制御情報を基地局装置に送信する（Ｓ３０７、Ｓ３０８、Ｓ３０９）。
【００３７】
基地局装置は、端末ランク情報に基づいてＭＣＳテーブルを選択し、回線品質情報に基づいてＭＣＳを決定し、ＭＣＳを比較してデータ送信先となる通信端末装置を割り当て、割り当てた通信端末装置に送信する送信データの変調方式及び符号化率を決定するリソース割り当てを行う（Ｓ３１０）。そして、基地局装置は、決定した変調方式及び符号化率の下りデータを通信端末装置に送信する（Ｓ３１１、Ｓ３１２）。
【００３８】
次に、本実施の形態に係る基地局装置１００のＭＣＳテーブルの選択方法について詳細に説明する。
【００３９】
スケジューリング部１５１は、図４に示すように複数のＭＣＳテーブルを記憶する。各ＭＣＳテーブルは、各ＭＣＳレベルが割り当てられるＳＩＮＲの範囲を示し、互いにその範囲が異なる。例えば、ＭＣＳテーブル１においてＭＣＳ２が割り当てられるＳＩＮＲの範囲はＴＨ１１以上でＴＨ１２よりも小さい範囲であり、ＭＣＳテーブル２においてＭＣＳ２が割り当てられるＳＩＮＲの範囲はＴＨ２１以上でＴＨ２２よりも小さい範囲であり、ＴＨ２１はＴＨ１１よりもΔ１１ｄＢ小さく、ＴＨ２２はＴＨ１２よりもΔ１２ｄＢ小さい。
【００４０】
ＭＣＳテーブル選択部１０９は、端末ランク情報に基づいてＭＣＳテーブルを選択する。例えば、ランクが高い通信端末装置程、閾値が低いＭＣＳテーブルを選択する方法（ランクＡ、Ｂ、Ｃの順に、ＭＣＳテーブル３、２、１を割り当てる方法）が考えられる。この選択方法を用いる場合には、ランクが低い通信端末装置に伝送レートが低いＭＣＳレベルが割り当てられるので誤り率を下げることができる。逆に、ランクが低い通信端末装置程、閾値が低いＭＣＳテーブルを選択する方法（ランクＡ、Ｂ、Ｃの順に、ＭＣＳテーブル１、２、３を割り当てる方法）も考えられる。この選択方法を用いる場合には、ランクが低く、雑音や干渉電力を真の値より大きく測定しまう通信端末装置に対して適切なＭＣＳレベルを割り当てることができる。
【００４１】
スケジューリング部１５１は、ＭＣＳテーブル選択部１０９が選択したＭＣＳテーブルにより、回線品質情報に示されるＳＩＮＲの値に対応するＭＣＳレベルを決定し、決定したＭＣＳレベルを比較してデータ送信先となる通信端末装置を割り当てる。
【００４２】
このように、本実施の形態によれば、通信端末装置のランクに基づいてＭＣＳレベルを決定するためのテーブルを選択することにより、最適なＭＣＳレベルを決定することができ、システムスループットの向上を図ることができる。
【００４３】
（実施の形態２）
実施の形態２では、回線品質の分散に基づいてランクを更新し、ＭＣＳテーブルを再選択する場合について説明する。本実施の形態の通信端末装置の構成は、上記実施の形態１で示した図２の通信端末装置２００と同一になる。
【００４４】
図５は、本実施の形態に係る基地局装置の構成を示すブロック図である。なお、図５の基地局装置５００において、図１に示した基地局装置１００と共通する構成には、図１と同一の符号を付し、説明を省略する。図５の基地局装置５００は、図１に示した基地局装置１００と比較して、平均化区間長決定部５０１、平均化部５０２及び分散測定部５０３を追加した構成を採る。
【００４５】
回線品質情報検出部１０７は、受信データに含まれる回線品質情報を検出し、検出結果を平均化部５０２及び分散測定部５０３に出力する。端末ランク検出部１０８は、受信データに含まれる端末ランク情報を検出し、検出結果をＭＣＳテーブル選択部１０９及び平均化区間長決定部５０１に出力する。
【００４６】
平均化区間長決定部５０１は、図６に示すように、通信端末装置のランクと回線品質の平均化区間長との関係を示すテーブルを記憶し、ランクが低い程、平均化区間長が長くなるように、ランクに基づいて平均化区間長を設定する。例えば、図６の場合、平均化区間長決定部５０１は、ランクＡ、Ｂ、Ｃの順に平均化区間長ＴＡ、ＴＢ、ＴＣ（ＴＡ＜ＴＢ＜ＴＣ）を設定する。そして、平均化区間長決定部５０１は、設定した平均化区間長を示す情報を平均化部５０２に出力する。
【００４７】
平均化部５０２は、平均化区間長決定部５０１が設定した平均化区間長で回線品質を平均化し、回線品質の平均値をスケジューリング部１５１に出力する。
【００４８】
分散測定部５０３は、所定計測区間における回線品質の分散を計算し、計算結果をＭＣＳテーブル選択部１０９に出力する。なお、回線品質の平均化区間長と分散の計測を行う区間長は同一でなくても良い。
【００４９】
ＭＣＳテーブル選択部１０９は、通信端末装置のランクに基づいてスケジューリングに使用するＭＣＳテーブルを選択し、選択したＭＣＳテーブルの番号を示す情報をスケジューリング部１５１に出力する。また、ＭＣＳテーブル選択部１０９は、回線品質の分散に基づいてランクを更新し、ＭＣＳテーブルを再選択する。
【００５０】
例えば、分散が閾値１より大きい場合、回線品質の分布が正規分布に近いと判断でき、平均化結果の信頼性が高いため、ランクを上げてＭＣＳテーブルを再選択する。逆に、分散が閾値２以下である場合、回線品質の分布が偏っていると判断でき、平均化結果の信頼性が低いため、ランクを下げてＭＣＳテーブルを再選択する。なお、閾値１と閾値２は同一の値であっても良い。
【００５１】
スケジューリング部１５１は、ＭＣＳテーブル選択部１０９が選択したＭＣＳテーブルと平均化された受信品質情報に応じてＭＣＳレベルを決定する。
【００５２】
このように、本実施の形態によれば、平均化によって受信品質情報のばらつきを低減することができ、さらに回線品質の分散に基づいて回線品質の信頼性を考慮してランクを更新し、ＭＣＳテーブルを再選択することができるので、最適なＭＣＳレベルを決定することができ、システムスループットの向上を図ることができる。
【００５３】
（実施の形態３）
実施の形態３では、受信データ量とターボ復号処理容量の関係に基づいてＭＣＳテーブルを再選択する場合について説明する。
【００５４】
基地局装置がデータ送信先の通信端末装置に高いＭＣＳレベルを割り当てた場合には、送信データ量が大きくなり、ターボ符号化ブロック（パケット）数が多くなる。その通信端末装置の処理能力が低い場合、単位時間あたりのターボ符号化ブロック数が所定量よりも多くなると、ターボ復号の繰り返し復号回数をこなせなくなる可能性がある。また、単位時間あたりの最大受信データ量（ターボ符号化ブロック数）に対して最大繰り返し復号を行うことができるように設計すると、回路規模が冗長になる。
【００５５】
そこで、本実施の形態では、通信端末装置が、受信データ量が自局のターボ復号処理容量の所定の割合（例えば、８割）を上回った場合にアラーム情報を基地局装置に報告し、基地局装置が、アラーム情報を受けた場合に閾値が高いＭＣＳテーブルを選択することによりＭＣＳレベルを下げる。
【００５６】
図７は、本実施の形態に係る基地局装置の構成を示すブロック図である。なお、図７の基地局装置７００において、図１に示した基地局装置１００と共通する構成には、図１と同一の符号を付し、説明を省略する。図７の基地局装置７００は、図１に示した基地局装置１００と比較して、アラーム情報検出部７０１を追加した構成を採る。
【００５７】
誤り訂正復号部１０５は、ＡＣＫ／ＮＡＣＫ情報検出部１０６、回線品質情報検出部１０７、端末ランク検出部１０８、アラーム情報検出部７０１及び図示しない後工程に受信データを出力する。
【００５８】
アラーム情報検出部７０１は、受信データに含まれるアラーム情報を検出し、検出結果をＭＣＳテーブル選択部１０９に出力する。
【００５９】
ＭＣＳテーブル選択部１０９は、通信端末装置のランクに基づいてスケジューリングに使用するＭＣＳテーブルを選択し、選択したＭＣＳテーブルの番号を示す情報をスケジューリング部１５１に出力する。また、ＭＣＳテーブル選択部１０９は、アラーム情報検出部７０１がアラーム情報を検出した場合、閾値が高いＭＣＳテーブルを再選択する。
【００６０】
図８は、本実施の形態に係る通信端末装置の構成を示すブロック図である。なお、図８の通信端末装置８００において、図２に示した通信端末装置２００と共通する構成には、図２と同一の符号を付し、説明を省略する。図８の通信端末装置８００は、図２に示した通信端末装置２００と比較して、アラーム情報生成部８０１を追加した構成を採る。
【００６１】
誤り訂正復号部２０５は、誤り検出結果を示す情報をＡＣＫ／ＮＡＣＫ信号生成部２０６に出力し、受信データ量及びターボ復号処理容量を示す情報をアラーム情報生成部８０１に出力する。
【００６２】
アラーム情報生成部８０１は、受信データ量が自局のターボ復号処理容量の所定の割合を上回った場合にアラーム情報を生成し、誤り訂正符号化部２５１に出力する。
【００６３】
誤り訂正符号化部２５１は、送信データに、回線品質情報、ＡＣＫ／ＮＡＣＫ情報、アラーム情報及び端末ランク情報を多重し、多重後の信号に対して誤り訂正符号化を行い、変調部２５２に出力する。
【００６４】
このように、本実施の形態によれば、受信データ量が自局のターボ復号処理容量の所定の割合を上回った場合に閾値が高いＭＣＳテーブルを選択してＭＣＳレベルを下げることができるので、最適なＭＣＳレベルを決定することができ、システムスループットの向上を図ることができる。また、必ずしも最大受信パケット量に対して最大繰り返し数をこなせるような処理能力を想定しなくてもよくなり、通信端末装置の設計の自由度が増す。
【００６５】
なお、本実施の形態では、アラーム情報を検出した場合に閾値が高いＭＣＳテーブルを再選択する場合について説明したが、本発明はこれに限られず、アラーム情報を検出した場合に直接ＭＣＳレベルを下げても良い。
【００６６】
また、処理容量アラーム情報は、（１）処理容量を越えたときのみ送信される、（２）常に送信されその内容がアラームあり／なしを示す、のいずれでもよい。
【００６７】
（実施の形態４）
実施の形態４では、通信端末装置の周波数安定度に基づいてＭＣＳテーブルを再選択する場合について説明する。
【００６８】
通信中にＡＦＣ（Auto Frequency Control）を行う場合に、水晶発振器が持つ温度特性などの影響によって周波数がずれてしまうことがある。その場合、再びＡＦＣが周波数オフセットを補正して周波数が安定するまでにはある程度の時間がかかる。すなわち、周波数が安定するまでの間は、その通信端末装置では受信したパスの位置を正しく検出することができず、結果として回線品質測定精度も劣化する。
【００６９】
そこで、本実施の形態では、通信端末装置が周波数安定度を随時計測し、計測結果を示す周波数安定度情報を基地局装置に報告し、基地局装置が、通信端末装置の周波数安定度に応じて適応的にＭＣＳテーブルを再選択する。
【００７０】
図９は、本実施の形態に係る基地局装置の構成を示すブロック図である。なお、図９の基地局装置９００において、図１に示した基地局装置１００と共通する構成には、図１と同一の符号を付し、説明を省略する。図９の基地局装置９００は、図１に示した基地局装置１００と比較して、周波数安定度情報検出部９０１を追加した構成を採る。
【００７１】
誤り訂正復号部１０５は、ＡＣＫ／ＮＡＣＫ情報検出部１０６、回線品質情報検出部１０７、端末ランク検出部１０８、周波数安定度情報検出部９０１及び図示しない後工程に受信データを出力する。
【００７２】
周波数安定度情報検出部９０１は、受信データに含まれる周波数安定度情報を検出し、検出結果をＭＣＳテーブル選択部１０９に出力する。
【００７３】
ＭＣＳテーブル選択部１０９は、通信端末装置のランクに基づいてスケジューリングに使用するＭＣＳテーブルを選択し、選択したＭＣＳテーブルの番号を示す情報をスケジューリング部１５１に出力する。また、ＭＣＳテーブル選択部１０９は、通信端末装置の周波数安定度に応じてＭＣＳテーブルを再選択する。
【００７４】
例えば、周波数安定度が閾値１より高い場合、ＡＦＣ制御が正常に機能していると判断でき、ランクを上げてＭＣＳテーブルを再選択する。逆に、周波数安定度が閾値２以下である場合、ＡＦＣ制御が正常に機能していないと判断でき、ランクを下げてＭＣＳテーブルを再選択する。なお、閾値１と閾値２は同一の値であっても良い。
【００７５】
図１０は、本実施の形態に係る通信端末装置の構成を示すブロック図である。なお、図１０の通信端末装置１０００において、図２に示した通信端末装置２００と共通する構成には、図２と同一の符号を付し、説明を省略する。図１０の通信端末装置１０００は、図２に示した通信端末装置２００と比較して、周波数安定度情報生成部１００１を追加した構成を採る。
【００７６】
受信無線部２０３は、無線周波数の受信信号をベースバンド信号に変換する際にＡＦＣ
制御を行い、周波数のずれを測定し、測定結果を示す情報を周波数安定度情報生成部１００１に出力する。
【００７７】
周波数安定度情報生成部１００１は、周波数のずれから周波数安定度を計測し、計測結果を示す周波数安定度情報を生成し、誤り訂正符号化部２５１に出力する。
【００７８】
誤り訂正符号化部２５１は、送信データに、回線品質情報、ＡＣＫ／ＮＡＣＫ情報、周波数安定度情報及び端末ランク情報を多重し、多重後の信号に対して誤り訂正符号化を行い、変調部２５２に出力する。
【００７９】
このように、本実施の形態によれば、周波数安定度を考慮してＭＣＳテーブルを再選択することができるので、周波数が安定するまでに時間を要する通信端末装置に対して閾値が高いＭＣＳテーブルを選択してＭＣＳレベルを下げることができるので、最適なＭＣＳレベルを決定することができ、システムスループットの向上を図ることができる。
【００８０】
（実施の形態５）
実施の形態５では、通信端末装置のランクとしてターボ符号の最大繰り返し回数を用いる場合に、変調多値数と符号化率の組み合わせが互いに異なるＭＣＳテーブルを用いる場合について説明する。本実施の形態において、基地局装置の構成は図１と同一であり、通信端末装置の構成は図２と同一である。通信端末装置は、端末ランクとして、ターボ符号の最大繰り返し回数を示す情報を基地局装置に送信する。
【００８１】
本実施の形態に係る基地局装置は、図１１に示すＭＣＳテーブルを記憶する。図１１のＭＣＳテーブル１とＭＣＳテーブル２は、互いに変調多値数と符号化率の組み合わせが異なり、それぞれのＭＣＳレベルの伝送レートは同一である。
【００８２】
基地局装置は、ターボ繰り返し復号回数に基づく性能ランクが高い通信端末装置（例えば、ランクＡ）に対して低符号化率、高多値変調のＭＣＳテーブル１を用い、性能ランクが低い通信端末装置（例えば、ランクＢ、Ｃ）に対してＭＣＳテーブル２を用いる。
【００８３】
このように、最大繰り返し回数が多い通信端末装置には、符号化率が低いＭＣＳテーブルを用いて符号化による冗長度を上げることにより、性能を向上させることができる。その際、変調多値数を上げることにより伝送レートを落とさないようにする。
【００８４】
なお、図１２に示すように、変調多値数と符号化率の組み合わせが互いに異なるＭＣＳテーブルを用いる場合に、ＭＣＳレベル間の閾値にオフセットをもたせてもよい。
【００８５】
また、上記各実施の形態では、下り回線のリソース割り当てについて説明したが、本発明はこれに限られず、上り回線のリソース割り当てにも適用することができる。
【産業上の利用可能性】
【００８６】
本発明は、スケジューリングを行う基地局装置に用いるに好適である。
【図面の簡単な説明】
【００８７】
【図１】本発明の実施の形態１に係る基地局装置の構成を示すブロック図
【図２】上記実施の形態に係る通信端末装置の構成を示すブロック図
【図３】上記実施の形態に係る基地局装置及び通信端末装置との間の通信順序を示すシーケンス図
【図４】上記実施の形態に係る基地局装置に記憶されるＭＣＳテーブルを示す図
【図５】本発明の実施の形態２に係る基地局装置の構成を示すブロック図
【図６】上記実施の形態に係る基地局装置に記憶されるランクと回線品質の平均化区間長との関係を示すテーブルを示す図
【図７】本発明の実施の形態３に係る基地局装置の構成を示すブロック図
【図８】上記実施の形態に係る通信端末装置の構成を示すブロック図
【図９】本発明の実施の形態４に係る基地局装置の構成を示すブロック図
【図１０】上記実施の形態に係る通信端末装置の構成を示すブロック図
【図１１】本発明の実施の形態５に係る基地局装置に記憶されるＭＣＳテーブルを示す図
【図１２】上記実施の形態に係る基地局装置に記憶されるＭＣＳテーブルを示す図
【図１３】従来のＭＣＳレベルの選択方法の一例を説明するための図
【図１４】従来のＭＣＳレベルの選択方法の一例を説明するための図
【符号の説明】
【００８８】
１００、５００、７００、９００  基地局装置
１０４  復調部
１０５  誤り訂正復号部
１０６  ＡＣＫ／ＮＡＣＫ情報検出部
１０７  回線品質情報検出部
１０８  端末ランク検出部
１０９  ＭＣＳテーブル選択部
１５１  スケジューリング部
１５２  データ再送制御部
１５３  送信データバッファ部
１５４、１５６  誤り訂正符号化部
１５５、１５７  変調部
２００、８００、１０００  通信端末装置
２０４  復調部
２０５  誤り訂正復号部
２０６  ＡＣＫ／ＮＡＣＫ情報生成部
２０７  復号繰り返し数計数部
２０８  回線品質測定部
２５１  誤り訂正符号化部
２５２  変調部
５０１  平均化区間長決定部
５０２  平均化部
５０３  分散測定部
７０１  アラーム情報検出部
８０１  アラーム情報生成部
９０１  周波数安定度情報検出部
１００１  周波数安定度情報生成部
【図１】
2006217173.tif 000003
【図２】
2006217173.tif 000004
【図３】
2006217173.tif 000005
【図４】
2006217173.tif 000006
【図５】
2006217173.tif 000007
【図６】
2006217173.tif 000008
【図７】
2006217173.tif 000009
【図８】
2006217173.tif 000010
【図９】
2006217173.tif 000011
【図１０】
2006217173.tif 000012
【図１１】
2006217173.tif 000013
【図１２】
2006217173.tif 000014
【図１３】
2006217173.tif 000015
【図１４】
2006217173.tif 000016